(57)【要約】      （修正有）【課題】釣針が交換可能であると共に、使用中は釣針がルアー本体から不用意には外れないハードルアーを提供する。【解決手段】硬質のルアー本体と釣針とをセットにした魚釣用ルアーであり、前記釣針は、前後方向に延伸した軸部と、該軸部に連続すると共に、該軸部の延伸方向に対して曲がった曲がり部１０Ｍと、前記軸部の前端に該軸部よりも大きな頭部１０Ｔとを有し、前記曲がり部の先端が針先１０Ｓであり、前記ルアー本体には、該ルアー本体の前側領域に開口し、前記頭部が挿通できない大きさの入口部を設け、該入口部から前記釣針を針先から挿入可能であって、前記曲がり部と前記軸部とが挿通可能な釣針挿通路２０Ｒを形成しており、該釣針挿通路はスリット形状を有して、前記入口部から離隔した位置からルアー本体表面に細長く開口した細長開口部２０Ｋを有する。【選択図】図５
2017000081.tif 000002
【特許請求の範囲】
【請求項１】
硬質のルアー本体と釣針とをセットにした魚釣用ルアーであって、
前記釣針は、前後方向に延伸した軸部と、該軸部に連続すると共に、該軸部の延伸方向に対して曲がった曲がり部と、前記軸部の前端に該軸部よりも大きな頭部とを有し、前記曲がり部の先端が針先であり、
前記ルアー本体には、該ルアー本体の前側領域に開口し、前記頭部が挿通できない大きさの入口部を設け、該入口部から前記釣針を針先から挿入可能であって、前記曲がり部と前記軸部とが挿通可能な釣針挿通路を形成しており、該釣針挿通路はスリット形状を有して、前記入口部から離隔した位置からルアー本体表面に細長く開口した細長開口部を有する
ことを特徴とするルアー本体と釣針とを有する魚釣用ルアー。
【請求項２】
前記ルアー本体の前記入口部又はその近傍に、前記頭部の一部または全部を係合させることの可能な頭部用溝を有する請求項１記載の魚釣用ルアー。
【請求項３】
前記ルアー本体は、その下面の前端部領域を除いて平面状に形成され、上面が上方凸の滑らかな曲面で形成され、ルアー本体の平面視において、前側領域よりも後側領域が幅狭に形成されており、
前記入口部は前記上面に位置し、前記細長開口部は前記下面に位置しており、
前記前端部領域は、前記平面状の下面に対して、前上がりの傾斜に形成されており、該前端部領域にルアー本体よりも比重の大きな錘部材が設けられ、該錘部材の重心位置はルアー本体の前後方向において、前記入口部の位置よりも前側である
請求項１又は２記載の魚釣用ルアー。
【発明の詳細な説明】
【技術分野】
【０００１】
本発明は、プラグを含むハードベイト又はハードルアーと称される魚釣用ルアーに関する。
【背景技術】
【０００２】
ハードルアーは、合成樹脂材、木材、金属等で形成された硬質のルアー本体に釣針を装着して形成する。但し、本願で述べる硬質、或いはハードとは、一般に言われている硬質ルアーの硬質よりは広い意味合いで使用している。即ち、ルアー本体の材料としてエラストマーと称される材料が使用されていても本願の硬質に含まれる場合がある。要は、釣りの最中にルアー本体の全体的形状が保持されてさえいればよいのであり、釣り使用中において形状が自在に変形するルアー（ソフトルアー）だけを除外する意味である。こうしたハードルアーの例として、下記特許文献１や非特許文献１等に開示のものがある。一般に、魚釣用ルアーは、使用中に根掛かりしたり、岩や石等に擦れ、針先部が損傷したり、釣針の曲がり部が損傷することがある。下記非特許文献１のルアーでは、釣針がルアー本体に一体化されているため、釣針が損傷すれば、交換できず、ルアーそのものを買い替える必要が有る。本出願人の有する特許である特許文献１のルアーでは釣針の交換を可能にしている。
【先行技術文献】
【特許文献】
【０００３】
【特許文献１】特許第５０３０９１０号
【非特許文献】
【０００４】
【非特許文献１】ＢＡＳＳ  ＰＲＯ  ＳＨＯＰＳ社  「２０１４  ＢＡＳＳ  ＰＲＯ  ＳＨＯＰＳ  ＦＩＳＨＩＮＧ  ＭＡＳＴＥＲ  ＣＡＴＡＬＯＧ」２４３頁  Ｗｅｅｄｌｅｓｓ  Ｓｐｏｏｎ
【発明の概要】
【発明が解決しようとする課題】
【０００５】
釣針が交換可能であっても、ルアー使用中に釣針がルアー本体から不用意に外れては困る。上記特許文献１では、一般に使用中に釣針がルアー本体から外れ易いという問題がある。
依って解決しようとする課題は、ルアー本体と釣針とが分離できて、釣針が交換可能であると共に、使用中は釣針がルアー本体から不用意には外れないハードルアーの提供である。
【課題を解決するための手段】
【０００６】
上記課題に鑑みて第１の発明は、硬質のルアー本体と釣針とをセットにした魚釣用ルアーであって、前記釣針は、前後方向に延伸した軸部と、該軸部に連続すると共に、該軸部の延伸方向に対して曲がった曲がり部と、前記軸部の前端に該軸部よりも大きな頭部とを有し、前記曲がり部の先端が針先であり、前記ルアー本体には、該ルアー本体の前側領域に開口し、前記頭部が挿通できない大きさの入口部を設け、該入口部から前記釣針を針先から挿入可能であって、前記曲がり部と前記軸部とが挿通可能な釣針挿通路を形成しており、該釣針挿通路はスリット形状を有して、前記入口部から離隔した位置からルアー本体表面に細長く開口した細長開口部を有することを特徴とするルアー本体と釣針とを有する魚釣用ルアーを提供する。
【０００７】
第２の発明は、前記ルアー本体の前記入口部又はその近傍に、前記頭部の一部または全部を係合させることの可能な頭部用溝を有することを特徴とする。
【０００８】
第３の発明は、前記ルアー本体は、その下面の前端部領域を除いて平面状に形成され、上面が滑らかな上方凸の曲面で形成され、ルアー本体の平面視において、前側領域よりも後側領域が幅狭に形成されており、前記入口部は前記上面に位置し、前記細長開口部は前記下面に位置しており、前記前端部領域は、前記平面状の下面に対して、前上がりの傾斜に形成されており、該前端部領域にルアー本体よりも比重の大きな錘部材が設けられ、該錘部材の重心位置はルアー本体の前後方向において、前記入口部の位置よりも前側であることを特徴とする。
【発明の効果】
【０００９】
第１の発明では、細長開口部を有するスリット形状の釣針挿通路を形成しているため、この通路に釣針を針先から挿入でき、また、必要に応じて逆の操作で釣針を抜くことも可能である。しかも、釣針の頭部が通過できない大きさの入口部とスリット状細長開口部とが離隔しているため、釣針をルアー本体に挿入、装着した状態で、釣針がルアー本体から不用意に外れることが防止できる。
【００１０】
第２の発明では、頭部用溝に釣針の頭部の一部または全部を係合させることができるので、ルアー本体の釣針挿通路に挿通させた釣針がその軸部を中心として不用意に回転して装着姿勢が崩れることが防止できる。
【００１１】
第３の発明では、ルアー本体の下面が前上がり傾斜の前端部領域を除いて平面状に形成されており、錘部材の重心位置が、装着状態の釣針頭部の位置する入口部の位置よりも前側であり、平面視において前側領域よりも後側領域が幅狭に形成されている形態のため、釣針頭部に釣糸を係止して魚釣用ルアーを竿で引き操作すれば、水中において滑らかにＳ字を描きながら泳ぐ。下面が平面状であるため、所謂、スプーンのような動きをしそうであるが、平面視において後側領域が前側領域よりも幅狭であるため、スプーンとは異なって後側領域で受ける水流抵抗が小さく、スプーンとは異なる泳ぎをする。
【図面の簡単な説明】
【００１２】
【図１】図１は本発明に係る魚釣用ルアーに使用の釣針の側面図である。
【図２】図２は本発明に係る魚釣用ルアーに使用のルアー本体の上面図である。
【図３】図３は図２のルアー本体の側面図である。
【図４】図４は図２のルアー本体の矢視線Ｄ−Ｄによる縦断面図であると共に、図１の釣針の挿入、装着方法を説明する説明図である。
【図５】図５は図１の釣針を図２のルアー本体に装着完了した状態の魚釣用ルアーの縦断面図である。
【図６】図６は本発明に係る第２実施形態例の魚釣用ルアーのルアー本体を示す下面図である。
【図７】図７は図６の矢視線Ｇ−Ｇによる縦断面図である。
【図８】図８は本発明に係る第３実施形態例の魚釣用ルアーの上面図である。
【発明を実施するための形態】
【００１３】
以下、本発明を、添付図面を用いて更に詳細に説明する。本願魚釣用ルアーに使用の釣針１０の一例を図１に示している。軸部１０Ｊの一端には、アイとも呼ばれる頭部１０Ｔが形成されており、他端には曲がり部１０Ｍが設けられている。この釣針１０には、魚が掛かった際に逃がさないための係止部（返し部）は設けていないが、そのことは本願発明の本質ではない。また、頭部１０Ｔは、軸部１０Ｊと曲がり部１０Ｍとを含む平面に対して直交する方向に釣糸が挿通するように、釣糸挿通孔が形成されている。即ち、頭部１０Ｔは、軸部１０Ｊと曲がり部１０Ｍとの成す平面内、或いはその平面に平行に形成されている。しかし、頭部を軸部１０Ｊと曲がり部１０Ｍとの成す平面に対して直交する平面上に形成し、釣糸が軸部１０Ｊと曲がり部１０Ｍとの成す平面内の上下方向に釣糸挿通孔を挿通するように形成してもよい。即ち、釣糸が図１の上下方向に挿通するように頭部を形成してもよい。
【００１４】
図２と図３を参照すれば、ルアー本体２０は、その平面視において、前側領域よりも後側領域が幅狭な形状である。また、側面視におけるルアー本体の上面２０Ｔは滑らかに上方に凸な曲面形状であるが、下面２０Ｕは平面状である。但し、下面の前端部領域２０Ｚは前上がりの傾斜状である。また、この前端部領域２０Ｚには、本体よりも比重の大きな鉛板等の錘部材２０Ｗが埋め込まれている。この前端部領域２０Ｚの左右方向中央には、上下方向に広がる保護板２０Ａが一体化されている。この保護板はルアー本体２０を保護するためのものである。即ち、釣りにおいて、この魚釣用ルアーを投擲すると、一旦川底に沈むが、この際にルアー本体２０の先部が損傷することを防止するためである。従って、保護板２０Ａの板面に適宜な孔を開けて、魚釣用ルアーが泳ぐ際に、その左右方向への動きの水流抵抗を小さくしてもよい。ルアー本体２０の先部の保護としては、該先部をアルミ板部材によって被覆する等の方法も採用可能であり、この場合、保護板２０Ａは不要となる。錘部材の重心位置は、下記入口部２０Ｈの位置よりも前側である。
【００１５】
ルアー本体２０の前側領域であり、この例では上面２０Ｔに、釣針１０を挿入させるための入口部２０Ｈが設けられている。この入口部２０Ｈは、図４に示す釣針挿通路２０Ｒに連通しており、この釣針挿通路２０Ｒはスリット状に形成されており、ルアー本体２０の下面２０Ｕに細長く開口した細長開口部２０Ｋを有している。この細長開口部２０Ｋの平面図は示していないが、後述の図６の細長開口部と同様な形状である。更には、前記入口部２０Ｈに連通した頭部用溝２０Ｍが設けられており、図５に図示しているが、ルアー本体２０に釣針１０を挿入、装着させた際に、頭部１０Ｔの一部が係合する。この頭部用溝２０Ｍはルアー本体２０の上下方向面内に広がる溝であるが、釣針１０の頭部が図１の頭部とは異なり、図１の頭部を９０度回転させた状態のものでは、ルアー本体２０の左右方向面（水平方向面）内に広がる溝とすればよい。
【００１６】
図４を参照しつつ、ルアー本体２０への釣針１０の挿入、装着方法を説明する。ルアー本体２０の入口部２０Ｈから釣針１０をその針先１０Ｓから挿入させ、釣針の曲がり部１０Ｍの曲がり形状に沿って挿入させる。この曲がり部１０Ｍを丁度挿入しきった状態が図４の状態である。ルアー本体２０の釣針挿通路２０Ｒはスリット状であって、ルアー本体２０の下面２０Ｕに細長く開口しているため、釣針１０は図４の状態からその軸部１０Ｊを釣針挿通路２０Ｒの底面２０ＲＳに沿って押し込んで行く。そして釣針１０の軸部１０Ｊと曲がり部１０Ｍとの境界１０Ｐが、ルアー本体２０の後端に位置した時に、軸部１０Ｊを回転させ、針先１０Ｓを上方に向ける。
【００１７】
それから、釣針１０の頭部１０Ｔをルアー本体２０の頭部用溝２０Ｍに係合させる。入口部２０Ｈの大きさは釣針１０の頭部１０Ｍよりも小さく形成しているため、これ以上釣針１０が釣針挿通路２０Ｒの中に進入することは無く、また逆に、釣針１０が抜け出る方向（前方）に移動しようとしても、曲がり部１０Ｍの存在により、ルアー本体２０から釣針１０が不用意に抜け出ることも防止される。これでも不用意に抜け出ることを防止できるが、更に、釣針１０を位置決め固定するため、シリコンやゴム製の弾力性部材である小チューブ状の止め部材１２を針先１０Ｓから挿入し、釣針１０が前方に抜け出ないように止め部材１２をルアー本体２０の挿通路後端部に押し込む。止め部材１２の外形は紡錘状、又は円錐台状が好ましい。この挿通路後端部は、ルアー本体２０の釣針挿通路２０Ｒの後端部を止め部材１２の大きさを考慮して（大きさに合わせて）幾分拡径させている。
【００１８】
図４等を参照しつつ説明した釣針１０の挿入、装着が可能な範囲で、釣針１０の軸部１０Ｊは短い方が良く、図５に示す状態の止め部材１２の位置が、図１に示す釣針１０の軸部１０Ｊと曲がり部１０Ｍとの境界１０Ｐ近くであることが好ましい。図２〜図５に示す第１実施形態例では、止め部材１２や曲がり部１０Ｍ等の作用によって釣針１０が前後方向に移動しない場合、釣針１０の頭部１０Ｔをルアー本体２０の頭部用溝２０Ｍに係止させているので、釣針１０は回転しないで図５の状態を保持できる。しかし、釣針１０の頭部１０Ｔとルアー本体２０の頭部用溝２０Ｍとの係合に拘わらず、釣針１０がその軸部１０Ｊを中心に回転しようとする際に、この回転に伴う弾力性部材である止め部材１２の回転を防止すべく、止め部材の挿入されている挿通路後端部の内面に、円周方向（回転方向）に引っ掛かる小さな段差や凹凸等を設けることは効果的である。
【００１９】
以上説明した実施形態例の魚釣用ルアーは、ルアー本体の下面が前上がり傾斜の前端部領域を除いて平面状に形成されており、錘部材の重心位置が、装着状態の釣針頭部の位置する入口部の位置よりも前側であり、平面視において、前側領域よりも後側領域が幅狭に形成されているためと考えられるが、釣針１０の頭部１０Ｔに釣糸を挿通係止して魚釣用ルアーを竿で引き操作すれば、水中において滑らかにＳ字を描きながら泳ぐ。下面が平面状であるため、所謂、スプーンのような動きをしそうであるが、平面視において後側領域が前側領域よりも幅狭であるため、スプーンとは異なって後側領域で受ける水流抵抗が小さく、スプーンとは異なる動きをする。
【００２０】
図６と図７を参照し、第２実施形態例の魚釣用ルアーにつき説明する。主に、第１実施形態例と異なる事項を説明する。図６は図７の下方から見た図に相当する。ルアー本体３０は、図示のような山形状の上面３０Ｔと、滑らかな円形状の下面３０Ｕとで側面視形状が形成されている。下面３０Ｕには、その前側領域に開口し、釣針１０を挿通させる入口部３０Ｈが設けられており、この入口部３０Ｈは釣針挿通路３０Ｒに連通している。この釣針挿通路３０Ｒはスリット状に形成されており、入口部３０Ｈと同じルアー本体３０の下面３０Ｕに細長く開口した細長開口部３０Ｋを有している。この細長開口部３０Ｋは、入口部３０Ｈよりも後方に離隔している。また、釣針１０の頭部１０Ｔを係止させてその回転を防止する頭部用溝３０Ｍが、入口部３０Ｈに連続して設けられている。第１の実施形態例と同様に、釣針１０の頭部が図１の形態に対して９０度回転した形態の場合は、頭部用溝は左右方向面（水平方向面）内に広がる溝形態にすればよい。
【００２１】
図８を参照し、第３実施形態例の魚釣用ルアーにつき説明する。主に、第１実施形態例と異なる事項を説明する。この形態例のルアー本体４０は、組み立てられたルアーとして使用すると、ルアー本体４０の前部で水流を受けて釣針１０の軸部の周りを回転する。従って、第１、第２の各形態例のように、回転止めの工夫は不要である。入口部はルアー本体４０の前端中央にあり、細長開口部４０Ｋは前記入口部の所定距離後方の位置から、螺旋状に設けられている。この例では、細長開口部４０Ｋの前記入口部に近い側の端からルアー本体４０の後端まで螺旋状に連続しており、螺旋状に捩じれた角度は１８０度程度である。
【産業上の利用可能性】
【００２２】
本発明は、ハードルアーと称される魚釣用ルアーに利用できる。特に、損傷した釣針を交換でき、ルアー本体を繰り返して使用したい場合に特に効果的に利用できる。しかも、釣りの最中に、釣針はルアー本体から不用意には外れない。
【符号の説明】
【００２３】
１０              釣針
１０Ｊ            軸部
１０Ｍ            曲がり部
１０Ｔ            頭部
２０              ルアー本体
２０Ｈ            入口部
２０Ｋ            細長開口部
２０Ｍ            頭部用溝
２０Ｒ            釣針挿通路
３０，４０        他の実施形態例のルアー本体
【図１】
2017000081.tif 000003
【図２】
2017000081.tif 000004
【図３】
2017000081.tif 000005
【図４】
2017000081.tif 000006
【図５】
2017000081.tif 000007
【図６】
2017000081.tif 000008
【図７】
2017000081.tif 000009
【図８】
2017000081.tif 000010